【事件の表示】
　特願２０１３−　７４６０５号「遊技機」拒絶査定不服審判事件〔平成２６年１０月２３日出願公開、特開２０１４−１９８１２１号〕について、次のとおり審決する。
【結　論】
　本件審判の請求は、成り立たない。
【理　由】
第１　手続の経緯
　本願は、平成２５年３月２９日の出願であって、平成２７年１０月１９日に手続補正書が提出され、平成２８年８月１０日に手続補正書が提出され、平成２８年９月９日付けで拒絶の理由が通知され、平成２８年１１月１４日に意見書及び手続補正書が提出されたところ、平成２９年４月１１日付け（発送日：平成２９年４月１８日）で拒絶査定がなされ、それに対して、平成２９年６月１９日に拒絶査定不服審判の請求がなされると同時に手続補正（以下「本件補正」という。）がなされたものである。
  
第２　本件補正についての補正却下の決定
［補正却下の決定の結論］
　本件補正を却下する。
［理由］
１　補正の内容
　本件補正は、特許請求の範囲を補正する内容を含んでおり、平成２８年１１月１４日付けの手続補正書と本件補正の、特許請求の範囲の請求項１の記載はそれぞれ以下の通りである（下線部は補正箇所を示す。また、Ａ〜Ｈは、分説するために当審にて付した。）。
（補正前：平成２８年１１月１４日付け手続補正）
「【請求項１】
　所定の始動条件が満たされたことに基づいて判定を行う判定手段と、
　前記判定手段の判定結果が特別の結果であることに基づいて遊技者に対して利益を付与する利益付与手段と、
　演出表示される演出表示手段と、
　前記演出表示手段において特定画像を特定の態様で表示する第１特定画像手段と、
　前記第１特定画像手段により前記特定画像が特定の態様で表示された後、前記演出表示手段において前記特定の態様とは異なる態様で前記特定画像を表示する第２特定画像手段と、
　前記演出表示手段において前記特定の態様とは異なる態様とされた特定画像が表示された状態で遊技者による特定操作が受付け可能とされ、該特定操作が受付けられたことに基づいて特定演出を出現させる特定演出手段と
　を備え、
　前記第１特定画像手段によって前記特定の態様で表示される前記特定画像は、前記第２特定画像手段によって前記特定画像が表示される領域とは異なる領域を少なくとも含めた領域で移動表示されるものであることを特徴とする遊技機。」
（補正後：本件補正である平成２９年６月１９日付け手続補正）
「【請求項１】
Ａ　所定の始動条件が満たされたことに基づいて判定を行う判定手段と、
Ｂ　前記判定手段の判定結果が特別の結果であることに基づいて遊技者に対して利益を付与する利益付与手段と、
Ｃ　演出表示される演出表示手段と、
Ｄ　前記演出表示手段において
操作手段を摸した摸
摸
Ｅ　前記第１
摸
摸
摸
摸
Ｆ　前記演出表示手段において前記特定の態様とは異なる態様とされた
摸
　を備え、
Ｇ　前記第１
摸
摸
摸
摸
り、
Ｈ
　さらに、
　前記第１摸画像手段によって前記摸画像が移動表示されている状態にあるときに遊技者による特定操作が行われたとしてもこれを受け付けない
２　補正の適否
　上記補正は、補正前の請求項１に記載した発明を特定するために必要な事項である「特定画像」について、「
操作手段を摸した摸
摸
摸
摸
第１摸画像手段によって前記摸画像が移動表示されている状態にあるときに遊技者による特定操作が行われたとしてもこれを受け付けない
　補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そして、本件補正は、願書に最初に添付した明細書および図面の【１２０１】、【１２０７】、【１２１５】〜【１２４４】、【図２０３】〜【図２０６】に基づくものといえ、新規事項を追加するものではない。
３ 独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明 
　本願補正発明は、上記１の補正の内容において示したとおりのものである。
（２）引用文献に記載された事項
　本願の出願前に頒布された引用文献である特開２０１３−５２１５７号公報（以下、「引用文献」という。）には、次の事項が記載されている（下線は当審で付した。）。
ア「【０００９】
　本発明の遊技機によれば、以下の流れで遊技が行われる。
（１）遊技中に
抽選契機が発生すると（右始動入賞口での入賞の発生、左始動入賞口での入賞の発生）、内部抽選が行われる（特別図柄抽選）。
【００１０】
（２）上記（１）の
内部抽選が実行されると、図柄が所定の変動時間にわたって変動表示され、内部抽選の結果を表す態様で図柄が停止表示される。
【００１１】
（３）上記（２）において内部抽選が実行され結果が得られると、その内部抽選の結果に基づいて、上記変動時間の他に、リーチ演出を行うか否か等の変動パターンが選択される。そして、その
変動パターンに基づいて、例えば画像表示器
の画面表示内で実行される演出についての演出パターンが選択される。演出パターンはリーチ演出の内容の他に、演出図柄を用いた変動表示演出の内容の設定パターン等が含まれる。
イ「【０１７６】
　本実施形態では、
右始動入賞口スイッチ８０又は左始動入賞口スイッチ８２から入賞検出信号（ＯＮ）が入力されると、主制御ＣＰＵ７２は
処理を実行する。
ウ「【０２５０】
　ステップＳ４０００：特別図柄停止表示中処理では、
主制御ＣＰＵ７２は第１特別図柄表示装置３４又は第２特別図柄表示装置３５の駆動制御を行う。
これにより特別図柄の停止表示が行われる。
【０２５１】
　ステップＳ５０００：
可変入賞装置管理処理は、先の特別図柄停止表示中処理において当りの態様（非当選以外の態様）で特別図柄が停止表示された場合に選択される。例えば、特別図柄が１５ラウンド大当りの態様で停止表示されると、それまでの通常状態から大当り遊技状態（遊技者にとって有利な特別遊技状態）に移行する契機が発生する。
エ「【０２６７】
　ステップＳ２３００：
主制御ＣＰＵ７２は、大当り判定処理（内部抽選）を実行する。
読み出した乱数値が大当り値の範囲内に含まれていれば、主制御ＣＰＵ７２は大当りフラグ（０１Ｈ）をセットし、次にステップＳ２４００に進む。
オ「【０３４６】
〔大入賞口開放パターン設定処理〕
　
図３５は、大入賞口開放パターン設定処理の手順例を示すフローチャートである。この処理は、大当り時
に
可変入賞装置３０を開閉動作する回数や各開放の時間等の条件を設定するためのものである。
【０３４７】
　ステップＳ５２０２：
主制御ＣＰＵ７２は、現在の遊技状態が大役中、つまりＲＡＭ７６のフラグ領域に大当りフラグの値（０１Ｈ）がセットされているか否かを確認する。大当りフラグの値がセットされていれば（Ｙｅｓ）、主制御ＣＰＵ７２は次にステップＳ５２０４に進む。
【０３４８】
〔大当り時の手順〕
　先ず、
大当り時の手順は以下となる。
　
ステップＳ５２０４：主制御ＣＰＵ７２は、図柄別開放パターン設定処理を実行する。この処理では、主制御ＣＰＵ７２は今回の該当する当選図柄に応じて大入賞口の開放パターン
やラウンド間のインターバル時間、１ラウンド中のカウント数
を設定する。
・・・
【０３５２】
　ステップＳ５２２０：
以上の手順を終えると、主制御ＣＰＵ７２は次のジャンプ先を大入賞口開閉動作処理に設定し
・・・
【０３５８】
〔大入賞口開閉動作処理〕
　図３６は、大入賞口開閉動作処理の手順例を示すフローチャートである。この処理は主に、可変入賞装置３０の開閉動作を制御するためのものである。以下、手順に沿って説明する。
【０３５９】
　ステップＳ５３０２：
主制御ＣＰＵ７２は、大入賞口を開放させる。
カ「【０４０５】
〔演出画像の例〕
　次に、
パチンコ機１において実際に液晶表示器４２に表示される演出画像について、いくつかの例を挙げて説明する。
パチンコ機１では、
演出図柄を用いた変動表示演出が行われている。
キ「【０４２８】
　図４０中（Ｂ２）：全ての演出図柄内において、表示されていた数字が表裏回転する変動表示演出が終了し、それぞれの演出図柄が演出ボタン画像ＢＧを含む態様に変化した状態で停止表示する演出が行われる。
演出ボタン画像ＢＧは、演出切替ボタン４５の形態を画像として表したものであり、これにより、遊技者に対して「演出切替ボタン４５の操作を要求する」という演出上の意図を明確に伝えることができる。
ク「【０４４５】
〔（３）
特別な擬似連変動演出を含む変動表示演出の例
 ・・・
【０４４７】
　
図４３中（Ｂ３）：特別図柄（第１特別図柄又は第２特別図柄）の変動開始に同期して、液晶表示器４２の表示画面上で演出図柄の３本の図柄列がスクロール変動することで変動表示演出が開始される（図柄演出実行手段）。
【０４４８】
　
図４３中（Ｃ３）：画面表示内において、ゆっくりと数字の「５」が表記された左演出図柄から「６」が表記された左演出図柄へスクロールされていく様子が表示されている。また、数字の「６」が表記されている左演出図柄内では、数字の「６」の部分がゆっくりと表裏回転する変動表示演出が行われている。
【０４４９】
　
図４３中（Ｄ３）：画面表示内において、ゆっくりと数字の「５」が表記された左演出図柄から演出ボタン画像ＢＧが表示された左演出図柄へスクロールされていく様子が表示されている。また、数字の「６」から演出ボタン画像ＢＧに表記が変更された左演出図柄内では、演出ボタン画像ＢＧの部分がゆっくりと表裏回転する変動表示演出が行われている。
【０４５０】
　
図４３中（Ｅ３）：画面表示内において、ゆっくりと数字の「５」が表記された左演出図柄から「６」が表記された左演出図柄へスクロールされていく様子が表示されている。また、演出ボタン画像ＢＧから数字の「６」に表記が変更された左演出図柄内では、数字の「６」の部分がゆっくりと表裏回転する変動表示演出が行われている。
【０４５１】
　図４３中（Ｆ３）：画面表示内において、ゆっくりと数字の「５」が表記された左演出図柄から演出ボタン画像ＢＧが表示された左演出図柄へスクロールされていく様子が表示されている。また、数字の「６」から演出ボタン画像ＢＧに表記が変更された左演出図柄内では、演出ボタン画像ＢＧの部分がゆっくりと表裏回転する変動表示演出が行われている。
【０４５２】
　
図４３中（Ｇ３）：画面表示内において、数字の「６」が表記された左演出図柄のスクロール変動が停止する様子が表示されている。また、演出ボタン画像ＢＧから数字の「６」に表記が変更された左演出図柄内では、数字の「６」の部分がゆっくりと表裏回転する変動表示演出が行われている。
【０４５３】
　
図４３中（Ｈ３）：画面表示内において、スクロール変動が停止している左演出図柄内では、数字の「６」から演出ボタン画像ＢＧに表記が変更されたまま停止表示され、左演出図柄内で行われていた一連の数字の「６」と演出ボタン画像ＢＧとが表裏回転する変動表示演出が終了したことが表現されている。さらに、「ボタンを押してね！」といった文字画像が、上下にスクロール変動表示されている中演出図柄及び右演出図柄上に出現する演出ボタン予告演出が行われる。このように、左演出図柄内において数字の「６」から演出ボタン画像ＢＧ（「ＰＵＳＨ」といった文字）に表記を変更（表裏回転）して停止表示し、「ボタンを押してね！」という文字画像を表示して演出切替ボタン４５の押下を示唆することによって、遊技者に対して、演出切替ボタン４５を押下すると演出が発展するかもしれないという期待感を持たせることができる。
【０４５４】
　なお、左演出図柄が停止表示されるまでのこれら一連の表裏回転による変動表示演出（図４３中（Ｃ３）〜（Ｈ３））により、
遊技者に対して、左演出図柄内の表記が数字の「６」と演出ボタン画像ＢＧ（「ＰＵＳＨ」といった文字）とで表裏一対の表記であるということを演出上で伝達する
【０４５５】
　
図４３中（Ｉ３）：画面表示内において、遊技者により演出切替ボタン４５が押下されたことを確認した後、キャラクター等の画像と「もう１回！」といった文字画像が表示される擬似連変動開始予告演出が行われる。
ケ　「【０４９９】
　ステップＳ４０２：演出図柄管理処理では、演出制御ＣＰＵ１２６は演出図柄を用いた変動表示演出や結果表示演出の内容を制御したり、可変入賞装置３０の開閉動作時の演出内容を制御したりする（変動表示演出パターン選択手段、回数進行手段）。またこの処理において、
演出制御ＣＰＵ１２６は各種予告演出（擬似連変動開始予告演出、演出ボタン予告演出
の演出パターンを選択
する。
【０５００】
　ステップＳ４０４：表示出力処理では、
演出制御ＣＰＵ１２６は演出表示制御装置１４４
に対して演出内容の基本的な制御情報
を指示する。
演出表示制御装置１４４
は指示された演出内容に基づいて液晶表示器４２による表示動作を制御する（演出実行手段）。
コ　「【０５７８】
　
図５６は、特別な擬似連変動演出とそれに関連する予告演出等を含んだ変動演出パターンの例を示すタイミングチャートである。
・・・
【０５８３】
　
図５６中（Ｅ）：
　そして、図示の例では、時刻ｔ１から時刻ｔ５までの時間を利用して１回目の特別な擬似連変動演出が行われ、時刻ｔ５からは２回目の特別な擬似連変動演出が行われる。それぞれの擬似連変動演出中に行われる演出（予告演出）を説明する。
【０５８４】
　図示の例では、上記で説明したように、時刻ｔ１からある程度時間が経過し、左演出図柄が変動表示している途中から終了する時刻ｔ２まで、例えば、図柄の表記が数字から演出切替ボタン４５の画像に表裏回転変動する煽り演出が行われる（例えば、図４３中（Ａ３）〜（Ｇ３）、図４４中（ａ３）〜（ｇ３））。そして、
左演出図柄の変動表示が終了して仮停止表示が開始される時刻ｔ２から演出ボタン予告演出が行われる。この演出ボタン予告演出では、例えば、「ボタンを押してね！」といった文字からなる演出画像が表示画面内に出現する演出が行われる（例えば、図４３中（Ｈ３）
）。
演出ボタン予告演出は、時刻ｔ２からボタン押下受付有効時間後まで行われるが、この途中に（例えば、時刻ｔ３において）遊技者により演出切替ボタン４５の押下が確認された場合、その時点（時刻ｔ３）で終了され、次の擬似連変動開始予告演出が行われる（例えば、図４３中（Ｉ３）
）。
サ　上記アには「抽選契機が発生すると（右始動入賞口での入賞の発生、左始動入賞口での入賞の発生）、内部抽選が行われる（特別図柄抽選）。」（【０００９】）と記載されている。上記イには「右始動入賞口スイッチ８０又は左始動入賞口スイッチ８２から入賞検出信号（ＯＮ）が入力されると、主制御ＣＰＵ７２は・・・処理を実行する。」（【０１７６】）記載されている。さらに、上記エには「主制御ＣＰＵ７２は、大当り判定処理（内部抽選）を実行する。」（【０２６７】）と記載されている。
　したがって、引用文献には、「
右始動入賞口スイッチ８０又は左始動入賞口スイッチ８２から入賞検出信号（ＯＮ）が入力され、抽選契機が発生したことにより、大当り判定処理（内部抽選）を実行する、主制御ＣＰＵ７２
シ　上記ウには「特別図柄が１５ラウンド大当りの態様で停止表示されると、それまでの通常状態から大当り遊技状態（遊技者にとって有利な特別遊技状態）に移行する契機が発生する。」（【０２５１】）と記載されている。また、上記エには「主制御ＣＰＵ７２は、大当り判定処理（内部抽選）を実行する。・・・読み出した乱数値が大当り値の範囲内に含まれていれば、主制御ＣＰＵ７２は大当りフラグ（０１Ｈ）をセットし、次にステップＳ２４００に進む。」（【０２６７】）と記載され、上記オには「図３５は、大入賞口開放パターン設定処理の手順例を示すフローチャートである。この処理は、大当り時・・・に・・・可変入賞装置３０を開閉動作する回数や各開放の時間等の条件を設定するためのものである。・・・主制御ＣＰＵ７２は、現在の遊技状態が大役中、つまりＲＡＭ７６のフラグ領域に大当りフラグの値（０１Ｈ）がセットされているか否かを確認する。大当りフラグの値がセットされていれば（Ｙｅｓ）、主制御ＣＰＵ７２は次にステップＳ５２０４に進む。・・・大当り時の手順は以下となる。ステップＳ５２０４：主制御ＣＰＵ７２は、図柄別開放パターン設定処理を実行する。この処理では、主制御ＣＰＵ７２は今回の該当する当選図柄に応じて大入賞口の開放パターン・・・やラウンド間のインターバル時間、１ラウンド中のカウント数・・・を設定する。」（【０３４６】〜【０３４８】）と記載され、さらに「以上の手順を終えると、主制御ＣＰＵ７２は次のジャンプ先を大入賞口開閉動作処理に設定し、・・・主制御ＣＰＵ７２は、大入賞口を開放させる。」（【０３５２】、【０３５４】）と記載されている。
　したがって、引用文献には「
大当り判定処理（内部抽選）において、読み出した乱数値が大当り値の範囲内に含まれている場合、大当りフラグ（０１Ｈ）をセットし、大当り遊技状態（遊技者にとって有利な特別遊技状態）を実行するための、図柄別開放パターン設定処理等の大入賞口開放パターン設定処理を行い、大入賞口を開放させる主制御ＣＰＵ７２
ス　上記アには「変動パターンに基づいて、例えば画像表示器・・・の画面表示内で実行される演出についての演出パターンが選択される。演出パターンはリーチ演出の内容の他に、演出図柄を用いた変動表示演出の内容の設定パターン等が含まれる。」（【００１１】）と記載されている。上記カには「パチンコ機１において実際に液晶表示器４２に表示される演出画像について、いくつかの例を挙げて説明する。・・・パチンコ機１では、・・・演出図柄を用いた変動表示演出が行われている。」（【０４０５】）と記載されている。ここで、上記カの「液晶表示器４２」は上記アの「画像表示器」に相当するものであることは明らかである。
　したがって、引用文献には、「
演出図柄を用いた変動表示演出が表示される液晶表示器４２
セ　上記キには「演出ボタン画像ＢＧは、演出切替ボタン４５の形態を画像として表したものであり、これにより、遊技者に対して「演出切替ボタン４５の操作を要求する」という演出上の意図を明確に伝えることができる。」（【０４２８】）と記載されている。また、上記クには、「図４３中（Ｂ３）：特別図柄（第１特別図柄又は第２特別図柄）の変動開始に同期して、液晶表示器４２の表示画面上で演出図柄の３本の図柄列がスクロール変動することで変動表示演出が開始される（図柄演出実行手段）。・・・図４３中（Ｃ３）：画面表示内において、ゆっくりと数字の「５」が表記された左演出図柄から「６」が表記された左演出図柄へスクロールされていく様子が表示されている。また、数字の「６」が表記されている左演出図柄内では、数字の「６」の部分がゆっくりと表裏回転する変動表示演出が行われている。・・・図４３中（Ｄ３）：画面表示内において、ゆっくりと数字の「５」が表記された左演出図柄から演出ボタン画像ＢＧが表示された左演出図柄へスクロールされていく様子が表示されている。また、数字の「６」から演出ボタン画像ＢＧに表記が変更された左演出図柄内では、演出ボタン画像ＢＧの部分がゆっくりと表裏回転する変動表示演出が行われている。・・・図４３中（Ｅ３）：画面表示内において、ゆっくりと数字の「５」が表記された左演出図柄から「６」が表記された左演出図柄へスクロールされていく様子が表示されている。また、演出ボタン画像ＢＧから数字の「６」に表記が変更された左演出図柄内では、数字の「６」の部分がゆっくりと表裏回転する変動表示演出が行われている。・・・図４３中（Ｆ３）：画面表示内において、ゆっくりと数字の「５」が表記された左演出図柄から演出ボタン画像ＢＧが表示された左演出図柄へスクロールされていく様子が表示されている。また、数字の「６」から演出ボタン画像ＢＧに表記が変更された左演出図柄内では、演出ボタン画像ＢＧの部分がゆっくりと表裏回転する変動表示演出が行われている。・・・図４３中（Ｇ３）：画面表示内において、数字の「６」が表記された左演出図柄のスクロール変動が停止する様子が表示されている。また、演出ボタン画像ＢＧから数字の「６」に表記が変更された左演出図柄内では、数字の「６」の部分がゆっくりと表裏回転する変動表示演出が行われている。」（【０４４７】〜【０４５２】）と記載され、また、「遊技者に対して、左演出図柄内の表記が数字の「６」と演出ボタン画像ＢＧ（「ＰＵＳＨ」といった文字）とで表裏一対の表記であるということを演出上で伝達する」（【０４５４】）と記載されている。そして、上記記載に対応し、図４３（Ｃ３）から図４３（Ｇ３）には、演出ボタン画像ＢＧ（「ＰＵＳＨ」といった文字）が、左演出図柄内で数字の「６」と表裏一対の表記で表裏回転しながら表示画面外から縦スクロールして表示される様子が見て取れる。
　加えて、上記ケには「演出制御ＣＰＵ１２６は演出表示制御装置１４４・・・に対して演出内容の基本的な制御情報・・・を指示する。演出表示制御装置１４４・・・は指示された演出内容に基づいて液晶表示器４２による表示動作を制御する（演出実行手段）。」（【０５００】）と記載されている。このことから、上記の演出を液晶表示器４２に表示するのは、演出表示制御装置１４４であるといえるから、引用文献には、「
演出切替ボタン４５の形態を画像として表した演出ボタン画像ＢＧを、左演出図柄内で数字の「６」と表裏一対の表記で表裏回転する態様で、表示画面外から縦スクロールして表示する、演出表示制御装置１４４
ソ　上記クには「図４３中（Ｈ３）：画面表示内において、スクロール変動が停止している左演出図柄内では、数字の「６」から演出ボタン画像ＢＧに表記が変更されたまま停止表示され、左演出図柄内で行われていた一連の数字の「６」と演出ボタン画像ＢＧとが表裏回転する変動表示演出が終了したことが表現されている。さらに、「ボタンを押してね！」といった文字画像が、上下にスクロール変動表示されている中演出図柄及び右演出図柄上に出現する演出ボタン予告演出が行われる。」（【０４５３】）と記載されている。また、図４３には、図４３（Ｃ３）から図４３（Ｇ３）で上記セに記載のごとく、演出ボタン画像ＢＧが左演出図柄内で数字の「６」と表裏一対の表記で表裏回転する態様で、表示画面外から縦スクロールして表示された後、図４３（Ｈ）において、左演出図柄内の中央で演出ボタン画像ＢＧが強調表示されて停止表示されていることが見て取れる。
　したがって、引用文献には、「
演出ボタン画像ＢＧが、左演出図柄内で数字の「６」と表裏一対の表記で表裏回転する態様で、表示画面外から縦スクロールする変動表示の終了後、左演出図柄内の中央で演出ボタン画像ＢＧを強調表示されて停止された態様で表示する、演出表示制御装置１４４
タ　上記クには、「図４３中（Ｉ３）：画面表示内において、遊技者により演出切替ボタン４５が押下されたことを確認した後、キャラクター等の画像と「もう１回！」といった文字画像が表示される擬似連変動開始予告演出が行われる。」（【０４５５】）と記載されている。また、上記コには、「図５６中（Ｅ）：・・・左演出図柄の変動表示が終了して仮停止表示が開始される時刻ｔ２から演出ボタン予告演出が行われる。この演出ボタン予告演出では、例えば、「ボタンを押してね！」といった文字からなる演出画像が表示画面内に出現する演出が行われる（例えば、図４３中（Ｈ３）・・・）。・・・演出ボタン予告演出は、時刻ｔ２からボタン押下受付有効時間後まで行われるが、この途中に（例えば、時刻ｔ３において）遊技者により演出切替ボタン４５の押下が確認された場合、その時点（時刻ｔ３）で終了され、次の擬似連変動開始予告演出が行われる（例えば、図４３中（Ｉ３）・・・）。」（【０５８３】、【０５８４】）と記載されている。ここで上記「演出ボタン予告演出」は、「左演出図柄の変動表示が終了して仮停止表示が開始される時刻ｔ２から」行われるものであり、その例示である「図４３中（Ｈ３）」には、上記ソに記載のように「左演出図柄内の中央で演出ボタン画像ＢＧ」が「強調表示されて停止された態様で表示」されている状態が見て取れるから、上記「演出ボタン予告演出」は、「左演出図柄内の中央で演出ボタン画像ＢＧ」が「強調表示されて停止された態様で表示」されるものであることは明らかである。そして、図５６から「ボタン押下受付有効時間」は、時刻ｔ２から始まっていることが見て取れる。
　さらに上記ケには「演出制御ＣＰＵ１２６は各種予告演出（擬似連変動開始予告演出、演出ボタン予告演出、・・・等）の演出パターンを選択・・・する。」（【０４９９】）、「演出制御ＣＰＵ１２６は演出表示制御装置１４４・・・に対して演出内容の基本的な制御情報・・・を指示する。これにより、演出表示制御装置１４４（表示制御ＣＰＵ１４６及びＶＤＰ１５２）は指示された演出内容に基づいて液晶表示器４２による表示動作を制御する（演出実行手段）。」（【０５００】）と記載され、擬似連変動開始予告演出が演出表示装置１４４によって表示されることが記載されている。
　したがって、引用文献には「
左演出図柄の変動表示の終了後、左演出図柄内の中央で演出ボタン画像ＢＧが強調表示されて停止された態様で表示されている状態で、ボタン押下受付有効時間が始まり、この途中に遊技者による演出切替ボタン４５の押下が確認された場合、次の擬似連変動開始予告演出を行う、演出表示制御装置１４４
チ　上記ア〜コの記載事項及び上記サ〜タの認定事項から、引用文献には次の発明（以下「引用文献発明」という。）が記載されていると認められる（ａ〜ｈは、本件補正発明のＡ〜Ｈに対応させて付与した。）。
ａ　右始動入賞口スイッチ８０又は左始動入賞口スイッチ８２から入賞検出信号（ＯＮ）が入力され、抽選契機が発生したことにより、大当り判定処理（内部抽選）を実行する、主制御ＣＰＵ７２と、（上記サ）
ｂ　大当り判定処理（内部抽選）において、読み出した乱数値が大当り値の範囲内に含まれている場合、大当りフラグ（０１Ｈ）をセットし、大当り遊技状態（遊技者にとって有利な特別遊技状態）を実行するための、図柄別開放パターン設定処理等の大入賞口開放パターン設定処理を行い、大入賞口を開放させる主制御ＣＰＵ７２と、（上記シ）
ｃ　演出図柄を用いた変動表示演出が表示される液晶表示器４２と、（上記ス）
ｄ　演出切替ボタン４５の形態を画像として表した演出ボタン画像ＢＧを、左演出図柄内で数字の「６」と表裏一対の表記で表裏回転する態様で、表示画面外から縦スクロールして表示する、演出表示制御装置１４４と、（上記セ）
ｅ、ｇ　演出ボタン画像ＢＧを、左演出図柄内で数字の「６」と表裏一対の表記で表裏回転する態様で、表示画面外から縦スクロールする変動表示の終了後、左演出図柄内の中央で演出ボタン画像ＢＧを、強調表示されて停止された態様で表示する、演出表示制御装置１４４と、（上記ソ）
ｆ、ｈ　左演出図柄の変動表示の終了後、左演出図柄内の中央で演出ボタン画像ＢＧが強調表示されて停止された態様で表示されている状態で、ボタン押下受付有効時間が始まり、この途中に遊技者による演出切替ボタン４５の押下が確認された場合、次の擬似連変動開始予告演出を行う、演出表示制御装置１４４とを有することを特徴とする遊技機。（上記タ）
（３）対比
　本願補正発明と引用文献発明とを対比する。なお、見出しは（ａ）〜（ｈ）とし、本願補正発明、引用文献発明の分説に対応させている。
（ａ）　引用文献発明の構成ａの「右始動入賞口スイッチ８０又は左始動入賞口スイッチ８２から入賞検出信号（ＯＮ）が入力され、抽選契機が発生したこと」は、本願補正発明の構成Ａの「所定の始動条件が満たされたこと」に相当する。また、引用文献発明の構成ａの「大当り判定処理（内部抽選）を実行する」ことは、本願補正発明の構成Ａの「判定を行う」ことに相当する。よって、引用文献発明の構成ａの「主制御ＣＰＵ７２」は、本願補正発明の構成Ａの「判定手段」に相当する。
（ｂ）　引用文献発明の構成ｂの「大当り判定処理（内部抽選）において、読み出した乱数値が大当り値の範囲内に含まれている場合」は、本願補正発明の構成Ｂの「前記判定手段の判定結果が特別の結果であること」に相当する。また、引用文献発明の構成ｂの「大当りフラグ（０１Ｈ）をセットし、大当り遊技状態（遊技者にとって有利な特別遊技状態）を実行するための、図柄別開放パターン設定処理等の大入賞口開放パターン設定処理を行い、大入賞口を開放させる」ことは、本願補正発明の構成Ｂの「遊技者に対して利益を付与する」ことに相当する。よって、引用文献発明の構成ｂの「主制御ＣＰＵ７２」は、本願補正発明の構成Ｂの「利益付与手段」に相当する。
（ｃ）　引用文献発明の構成ｃで「演出図柄を用いた変動表示演出が表示される」ことは、本願補正発明の構成Ｃで「演出表示される」ことに相当する。また、引用文献発明の構成ｃの「液晶表示器４２」は、本願補正発明の構成Ｃの「演出表示手段」に相当する。
（ｄ）　引用文献発明の構成ｄの「演出切替ボタン４５の形態を画像として表した」、「演出ボタン画像ＢＧ」は、それぞれ、本願補正発明の構成Ｄの「操作手段を模した」、「模画像」に相当する。また、引用文献発明の構成ｄの「演出ボタン画像ＢＧを、」「左演出図柄内で数字の「６」と表裏一対の表記で表裏回転する態様で、表示画面外から縦スクロールして表示する」ことは、本願補正発明の構成Ｄの「模画像を」「特定の態様で表示する」ことに相当する。よって引用文献発明の構成ｄの「演出表示制御装置１４４」は、本願補正発明の構成Ｄの「第１模画像手段」に相当する。
（ｅ）　上記（ｄ）での検討をふまえれば、引用文献発明の構成ｅ、ｇの「演出ボタン画像ＢＧが、左演出図柄内で数字の「６」と表裏一対の表記で表裏回転する態様で、表示画面外から縦スクロールする変動表示」を「演出表示制御装置１４４」が行うことは、本願補正発明の構成Ｅの「前記第１模画像手段」により「前記模画像が特定の態様で表示され」ることに相当する。そして、引用文献発明の構成ｅ、ｇの「演出ボタン画像ＢＧ」が「左演出図柄内の中央で」「強調表示されて停止された態様」は、引用文献発明の構成ｄの「演出ボタン画像ＢＧを、左演出図柄内で数字の「６」と表裏一対の表記で表裏回転する態様」とは異なるものであることは明らかであるから、引用文献発明の構成ｅで「左演出図柄内の中央で演出ボタン画像ＢＧを強調表示されて停止された態様で表示する」ことは、本願補正発明の構成Ｅの「前記特定の態様とは異なる態様で前記模画像を表示する」ことに相当する。よって、引用文献発明の構成ｅの「左演出図柄内の中央で演出ボタン画像ＢＧを強調表示されて停止された態様で表示する」「演出表示制御装置１４４」は、本願補正発明の構成Ｅの「第２模画像手段」に相当する。
（ｇ）　上記（ｄ）、（ｅ）で検討したとおり、引用文献発明の構成ｅ、ｇの「左演出図柄内で数字の「６」と表裏一対の表記で表裏回転する態様で」「表示画面外から縦スクロールする変動表示」される「演出ボタン画像ＢＧ」は、本願補正発明の構成Ｄの「第１模画像手段」に相当する「演出表示制御装置１４４」で表示されるものである。また、上記（ｅ）で検討したとおり、引用文献発明の構成ｅ、ｇの「左演出図柄内の中央で」「強調表示されて停止された態様で表示」される「演出ボタン画像ＢＧ」は、本願補正発明の構成Ｅの「第２模画像手段」に相当する「演出表示制御装置１４４」で表示されるものである。そして、「左演出図柄内で数字の「６」と表裏一対の表記で表裏回転する態様で」「表示画面外から縦スクロールする変動表示」される「演出ボタン画像ＢＧ」は、「左演出図柄内の中央で」「強調表示されて停止された態様で表示」される「演出ボタン画像ＢＧ」とは、少なくとも「左演出図柄内の中央で」とは異なる領域で移動表示されていることは明らかである。
　したがって、引用文献発明の構成ｅ、ｇで「演出ボタン画像ＢＧが、左演出図柄内で数字の「６」と表裏一対の表記で表裏回転する態様で、表示画面外から縦スクロールする変動表示の終了後、左演出図柄内の中央で演出ボタン画像ＢＧを強調表示されて停止された態様で表示する」ことは、本願補正発明の構成Ｇの「第１摸画像手段によって前記特定の態様で表示される前記摸画像は、前記第２摸画像手段によって前記摸画像が表示される領域とは異なる領域を少なくとも含めた領域で移動表示される」ことに相当する。
（ｆ）　引用文献発明の構成ｆ、ｈの「左演出図柄内の中央で演出ボタン画像ＢＧが強調表示されて停止された態様で表示されている状態」は、本願補正発明の構成Ｆの「前記演出表示手段において前記特定の態様とは異なる態様とされた模画像が表示された状態」に相当する。引用文献発明の構成ｆ、ｈの「ボタン押下」は、「遊技者による」押下であることは明らかであるから、本願補正発明の構成Ｆの「特定操作」に相当し、引用文献発明の構成ｆ、ｈの「ボタン押下受付有効時間が始ま」ることは、本願補正発明の構成Ｆの「遊技者による特定操作が受け付け可能」となることに相当する。また、引用文献発明の構成ｆ、ｈの「遊技者による演出切替ボタン４５の押下が確認され」ることは、本願補正発明の構成Ｆの「特定操作が受け付けられたこと」に相当する。よって引用文献発明の構成ｆ、ｈで「遊技者による演出切替ボタン４５の押下が確認された場合、次の擬似連変動開始予告演出を行う」ことは、本願補正発明の構成Ｆの「特定操作が受け付けられたことに基づいて特定演出を出現させる」ことに相当する。そうすると、引用文献発明の構成ｆの「演出表示制御装置１４４」は、本願補正発明の構成Ｆの「特定演出手段」に相当する。
（ｈ）　引用文献発明の構成ｆ、ｈの「左演出図柄の変動表示」されている状態は、引用文献発明の構成ｅの「左演出図柄内で行われていた一連の数字の「６」と演出ボタン画像ＢＧとが表裏回転する態様での縦スクロール変動表示され」た状態であるから、本願補正発明の構成Ｅの「前記第１模画像手段により前記模画像が特定の態様で表示された」状態に相当する。また、「縦スクロール変動表示され」ることは、移動表示されることに他ならないから、引用文献発明の構成ｆ、ｈの「左演出図柄の変動表示」されている状態は、本願補正発明の構成Ｈの「前記第１模画像手段により前記模画像が移動表示されたている状態」といえる。そして、引用文献発明の構成ｆ、ｈでは、「左演出図柄の変動表示の終了後」に「ボタン押下受付有効時間が始ま」るから、「左演出図柄の変動表示」されている状態では、「ボタン押下受付有効時間が始ま」っておらず、遊技者のボタン押下は有効でない、すなわち、ボタン押下を受け付けないことは明らかである。よって、引用文献発明の構成ｆ、ｈで「左演出図柄の変動表示の終了後」に「ボタン押下受付有効時間が始ま」ることは、本願補正発明の構成Ｈにおける「前記第１模画像手段により前記模画像が移動表示されている状態にあるときに遊技者による特定操作が行われたとしてもこれを受け付けない」ことに相当する。
　そうすると、本願補正発明と引用文献発明とは、
「Ａ　所定の始動条件が満たされたことに基づいて判定を行う判定手段と、
Ｂ　前記判定手段の判定結果が特別の結果であることに基づいて遊技者に対して利益を付与する利益付与手段と、
Ｃ　演出表示される演出表示手段と、
Ｄ　前記演出表示手段において操作手段を摸した摸画像を特定の態様で表示する第１摸画像手段と、
Ｅ　前記第１摸画像手段により前記摸画像が特定の態様で表示された後、前記演出表示手段において前記特定の態様とは異なる態様で前記摸画像を表示する第２摸画像手段と、
Ｆ　前記演出表示手段において前記特定の態様とは異なる態様とされた摸画像が表示された状態で遊技者による特定操作が受付け可能とされ、該特定操作が受付けられたことに基づいて特定演出を出現させる特定演出手段と
　を備え、
Ｇ　前記第１摸画像手段によって前記特定の態様で表示される前記摸画像は、前記第２摸画像手段によって前記摸画像が表示される領域とは異なる領域を少なくとも含めた領域で移動表示されるものであり、
Ｈ　さらに、
　前記第１摸画像手段によって前記摸画像が移動表示されている状態にあるときに遊技者による特定操作が行われたとしてもこれを受け付けない
　ことを特徴とする遊技機。」
の点で一致し、相違点はない。
（７）まとめ
　以上のように、本願補正発明は、引用文献発明と同一である。また、仮に相違点があったとしても本願補正発明は、引用文献発明に基づいて当業者が容易に発明をすることができたものである。よって、本願補正発明は、特許法第２９条第１項３号に該当し、または特許法第２９条第２項の規定により、特許出願の際に独立して特許を受けることができない。
３　補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
　本件補正は上記のとおり却下されたので、本願の各請求項に係る発明は、平成２８年１１月１４日付け手続補正書により補正された特許請求の範囲に記載されたとおりのものであり、その請求項１に係る発明（以下「本願発明」という）は、以下のとおりのものである。
「【請求項１】
Ａ　所定の始動条件が満たされたことに基づいて判定を行う判定手段と、
Ｂ　前記判定手段の判定結果が特別の結果であることに基づいて遊技者に対して利益を付与する利益付与手段と、
Ｃ　演出表示される演出表示手段と、
Ｄ　前記演出表示手段において特定画像を特定の態様で表示する第１特定画像手段と、
Ｅ　前記第１特定画像手段により前記特定画像が特定の態様で表示された後、前記演出表示手段において前記特定の態様とは異なる態様で前記特定画像を表示する第２特定画像手段と、
Ｆ　前記演出表示手段において前記特定の態様とは異なる態様とされた特定画像が表示された状態で遊技者による特定操作が受付け可能とされ、該特定操作が受付けられたことに基づいて特定演出を出現させる特定演出手段と
　を備え、
Ｇ　前記第１特定画像手段によって前記特定の態様で表示される前記特定画像は、前記第２特定画像手段によって前記特定画像が表示される領域とは異なる領域を少なくとも含めた領域で移動表示されるものである
　ことを特徴とする遊技機。」
１　引用文献
　原査定の拒絶の理由に引用され、本願の出願前に頒布された引用文献である特開２０１１−１２５５４９号公報（以下、「引用文献２」という。）には、次の事項が記載されている（下線は当審で付した。）。
ア「【００３４】
　なお、上記
第１始動口９及び第２始動口１０には、遊技球の入球を検出する第１始動口検出スイッチ９ａ及び第２始動口検出スイッチ１０ａがそれぞれ設けられており、これらの検出スイッチが遊技球の入球を検出すると、後述する大当たり遊技を実行する権利獲得の抽選（以下、「大当たりの抽選」という）が行われる。
【００３５】
　さらに、図１に示すように、遊技領域６の下方（上記第２始動口の真下）には、第１大入賞口１１が設けられている。この第１大入賞口１１は、通常は第１大入賞口開閉扉１１ｂによって閉状態に維持されており、遊技球の入球を不可能としている。これに対して、
長当たり遊技が開始されると、第１大入賞口開閉扉１１ｂが開放される
イ「【００５５】
　次に、図３を用いて、本実施形態に係る遊技機１による遊技の進行制御について説明する。主制御基板１０１は遊技の基本動作を制御する装置である。この
主制御基板１０１は、メインＣＰＵ１０１ａ、メインＲＯＭ１０１ｂ、メインＲＡＭ１０１ｃを備えている。メインＣＰＵ１０１ａは、各検出スイッチやタイマからの入力信号にもとづいて、メインＲＯＭ１０１ｂに格納されたプログラムを読み出して演算処理を行うとともに、各装置や表示器を直接制御したり、あるいは演算処理の結果に応じて他の基板にコマンドを送信したりする。
【００５６】
　上記主制御基板１０１の入力側には、一般入賞口検出スイッチ７ａ、ゲート検出スイッチ８ａ、第１始動口検出スイッチ９ａ、第２始動口検出スイッチ１０ａ、第１大入賞口検出スイッチ１１ａ、第２大入賞口検出スイッチ９０ａが接続されており、遊技球の検出信号が主制御基板１０１に入力するようにしている。
【００５７】
　また、
主制御基板１０１の出力側には、
第１大入賞口開閉扉１１ｂを開閉動作させる大入賞口開閉ソレノイド１１ｃ
が接続される
ウ「【００８１】
　図４は、本発明の一実施形態に係る遊技機１の主制御基板１０１の処理を説明するためのフローチャートである。なお、以下に説明する処理は、主制御基板１０１のメインＣＰＵ１０１ａがメインＲＯＭ１０１ｂに格納されているプログラムを実行することにより実現される。
【００８２】
　
主制御基板１０１のメインＣＰＵ１０１ａは、メイン処理として始動入賞口に遊技球が入賞したことを各検出スイッチで検出すると（ステップＳ１）、乱数を取得する（ステップＳ２）。そして、メインＣＰＵ１０２ａは、取得した乱数値にもとづいて演出パターン制御コマンドを演出制御基板１０２に送信する
エ【００８５】
　すなわち、本実施形態では、
演出制御基板１０２は
リーチ演出コマンドに対応した１つ目演出パターンの動画（リーチ演出パターン）を液晶表示装置１３の液晶画面上に表示させる。
演出制御基板１０２は、遊技者が演出ボタン１７の操作可能時間内に演出ボタン１７の操作を行った場合、
液晶表示装置１３の液晶画面上に現在表示されているリーチ演出パターンに代えて２つ目の演出パターンの動画（特別リーチ演出パターン）を表示させる。
演出ボタン１７を操作した場合に特別なリーチ演出パターンを液晶表示装置１３の液晶画面上に表示させる
オ「【００９３】
　図６は、図５のステップＳ１４における演出ボタン画像表示処理を詳細に説明するためのフローチャートである。また、図７は、本発明の一実施形態に係る遊技機１における演出ボタン１７が操作されなかった場合の演出ボタン画像表示処理に関する動作タイミングチャートを示す図である。さらに、図８は、本発明の一実施形態に係る遊技機１における演出ボタン１７が操作された場合の演出ボタン画像表示処理に関する動作タイミングチャートを示す図である。さらにまた、
図９は、本発明の一実施形態に係る遊技機１の液晶表示装置１３上に演出ボタン１７の操作可能時間開始前に表示される各種演出画像の例を示す図である。
【００９４】
　ステップＳ１３でリーチ演出パターンが液晶表示装置１３に表示されたタイミングは、図７における時刻ｔ１で示される。時刻ｔ１においては、例えば図９（ａ）に示されるリーチ演出パターンが液晶表示装置１３の液晶画面上に表示される。なお、この時点に表示されるリーチ演出パターン上には、後述する遊技者への報知画像である演出ボタン画像及びゲージ画像はまだ重畳表示されていない。
【００９５】
　そして、
サブＣＰＵ１０２ａは、
液晶表示装置１３に演出ボタン１７の操作が間もなく可能になることを遊技者に示す報知画像の表示タイミングか否かを判断する（ステップＳ１４ａ）。その結果、時刻がｔ２になっており報知画像の表示タイミングであると判断された場合（ＹＥＳ）は、演出ボタン予告画像の表示を開始する
演出ボタン１７の操作が有効になるまでに表示される演出ボタン予告画像として、演出ボタン１７の操作可能開始タイミングである時刻ｔ３以降に液晶表示装置１３の液晶画面上に表示される報知画像（演出ボタン画像）をフェードイン効果によって次第に明確になって表示する動画で表現されたフェードイン画像を用いる。
【００９６】
　具体的には、
演出ボタン予告画像は
演出ボタン１７の操作が間もなく有効になることを報知する。
時刻ｔ２からｔ３にかけて表示される演出ボタン予告画像として、図９（ｂ）に示すような画面左側から光の束Ｆ１が画面中央下側の演出ボタン画像が表示される位置Ｆ２まで飛翔し、図９（ｃ）に示すように当該位置で光が蓄積されていくようなフェードイン画像Ｆ３を適用し、この動画を液晶表示装置１３の液晶画面上に表示する。
【００９７】
　次に、
サブＣＰＵ１０２ａは、
時刻ｔ３になっており、演出ボタン１７の操作が有効になっている場合（ＹＥＳ）、
前述のフェードイン効果を持った報知画像である演出ボタン予告画像の表示を終了させるとともに、図１０（ａ）に示すように、明確に描画された演出ボタン画像Ｂ１とゲージ画像Ｇ１とを液晶表示装置１３の液晶画面上に表示させる
ゲージ画像Ｇ１が液晶表示装置１３の液晶画面上に表示されるタイミングと演出ボタン１７の操作が可能となるタイミングとを一致させる。
・・・
【０１００】
　なお、本実施形態では、演出ボタン予告画像として、演出ボタン画像のフェードイン画像と演出ボタン１７の操作可能残り時間を示すゲージ画像のフェードイン画像を用いているが、いずれか一方のフェードイン画像だけを表示するようにしてもよい。また、演出ボタン予告画像としてフェードイン画像を用いるのではなく、例えば、演出ボタン画像を加工せずにそのまま使用し、演出ボタン１７の操作が実際に可能になったタイミングで演出ボタン画像とゲージ画像の両方を液晶表示装置１３の液晶画面上に表示するようにしてもよい。いずれの場合であっても
演出ボタン画像の表示態様を演出ボタン１７の操作が実際に可能になる前後で区別して表示する
カ「【０１１０】
　また、前述のステップＳ１５で
遊技者が演出ボタン１７を操作し、それが当該演出ボタン操作可能期間（時間）内である場合（例えば、図８の時刻ｔ６の場合）、サブＣＰＵ１０２ａは、
出ボタン画像とゲージ画像の表示を終了させ
特別リーチ演出パターンをそれまで表示していたリーチ演出パターンに代えて時刻ｔ５になるまで液晶表示装置１３の液晶画面上に表示させる
キ　上記アには、「第１始動口９及び第２始動口１０には、遊技球の入球を検出する第１始動口検出スイッチ９ａ及び第２始動口検出スイッチ１０ａがそれぞれ設けられており、これらの検出スイッチが遊技球の入球を検出すると、後述する大当たり遊技を実行する権利獲得の抽選（以下、「大当たりの抽選」という）が行われる。」（【００３４】）と記載され、また、上記ウには、「主制御基板１０１のメインＣＰＵ１０１ａは、メイン処理として始動入賞口に遊技球が入賞したことを各検出スイッチで検出すると（ステップＳ１）、乱数を取得する（ステップＳ２）。そして、メインＣＰＵ１０２ａは、取得した乱数値にもとづいて演出パターン制御コマンドを演出制御基板１０２に送信する」（【００８２】）と記載されている。ここで「これらの検出スイッチが遊技球の入球を検出する」ことと「始動入賞口に遊技球が入賞したことを各検出スイッチで検出する」ことは、同じであることは明らかである。したがって引用文献２には
「第１始動口９及び第２始動口１０への入球を検出すると、大当たりの抽選を行い、その際に、メイン処理として始動入賞口に遊技球が入賞したことを各検出スイッチで検出すると、乱数を取得し、乱数値に基づいて演出パターン制御コマンドを演出制御基板１０２に送信するメインＣＰＵ１０２ａ
ク　上記アには、「長当たり遊技が開始されると、第１大入賞口開閉扉１１ｂが開放される」と記載され、また、上記イには「主制御基板１０１の出力側には、・・・第１大入賞口開閉扉１１ｂを開閉動作させる大入賞口開閉ソレノイド１１ｃ・・・が接続される」と記載されている。したがって引用文献２には「
長当たり遊技が開始されると、第１大入賞口開閉扉１１ｂを開閉動作させる主制御基板１０１
ケ　上記エには「演出制御基板１０２は、・・・リーチ演出コマンドに対応した１つ目演出パターンの動画（リーチ演出パターン）を液晶表示装置１３の液晶画面上に表示させる。・・・演出制御基板１０２は、・・・液晶表示装置１３の液晶画面上に現在表示されているリーチ演出パターンに代えて２つ目の演出パターンの動画（特別リーチ演出パターン）を表示させる。」（【００８５】）と記載されている。したがって、引用文献２には「
演出が表示される液晶表示装置１３
コ　上記オには、「サブＣＰＵ１０２ａは、・・・液晶表示装置１３に演出ボタン１７の操作が間もなく可能になることを遊技者に示す報知画像の表示タイミングか否かを判断する（ステップＳ１４ａ）。その結果、時刻がｔ２になっており報知画像の表示タイミングであると判断された場合（ＹＥＳ）は、演出ボタン予告画像の表示を開始する（ステップＳ１４ｂ）。・・・演出ボタン１７の操作が有効になるまでに表示される演出ボタン予告画像として、演出ボタン１７の操作可能開始タイミングである時刻ｔ３以降に液晶表示装置１３の液晶画面上に表示される報知画像（演出ボタン画像）をフェードイン効果によって次第に明確になって表示する動画で表現されたフェードイン画像を用いる。」（【００９５】）と記載され、また、「時刻ｔ２からｔ３にかけて表示される演出ボタン予告画像として、図９（ｂ）に示すような画面左側から光の束Ｆ１が画面中央下側の演出ボタン画像が表示される位置Ｆ２まで飛翔し、図９（ｃ）に示すように当該位置で光が蓄積されていくようなフェードイン画像Ｆ３を適用し、この動画を液晶表示装置１３の液晶画面上に表示する。」（【００９６】）と記載されている。そして【図９】（ｂ）には、光の束Ｆ１が画面中央下側でボタン表示等はないが演出ボタン画像が表示される予定の位置Ｆ２に向かって飛翔し、その後位置Ｆ２に光が蓄積されていく様子が見て取れる。したがって引用文献２には「
液晶表示装置１３で、報知画像（演出ボタン画像）を演出ボタン予告画像として、画面左側から光の束Ｆ１が画面中央下側の演出ボタン画像が表示される位置Ｆ２まで飛翔し、位置Ｆ２で光が蓄積される態様で表示するサブＣＰＵ１０２ａ
サ　上記オには「演出ボタン１７の操作可能開始タイミングである時刻ｔ３以降に液晶表示装置１３の液晶画面上に表示される報知画像（演出ボタン画像）」（【００９５】）と記載され、また、「サブＣＰＵ１０２ａは・・・時刻ｔ３になっており、演出ボタン１７の操作が有効になっている場合（ＹＥＳ）、・・・前述のフェードイン効果を持った報知画像である演出ボタン予告画像の表示を終了させるとともに、図１０（ａ）に示すように、明確に描画された演出ボタン画像Ｂ１とゲージ画像Ｇ１とを液晶表示装置１３の液晶画面上に表示させる」（【００９７】）と記載されている。そして【図１０】（ａ）には、位置Ｆ２に明確に描画された態様で演出ボタンＢ１が表示されていることが見て取れる。したがって、引用文献２には「
液晶表示装置１３で、演出ボタン予告画像の表示を終了させるとともに、位置Ｆ２に報知画像（演出ボタン画像）を、演出ボタン画像Ｂ１とゲージ画像Ｇ１とが明確に描画された態様で表示するサブＣＰＵ１０２ａ
シ　上記オには、「サブＣＰＵ１０２ａは・・・時刻ｔ３になっており、演出ボタン１７の操作が有効になっている場合（ＹＥＳ）、・・・前述のフェードイン効果を持った報知画像である演出ボタン予告画像の表示を終了させるとともに、図１０（ａ）に示すように、明確に描画された演出ボタン画像Ｂ１とゲージ画像Ｇ１とを液晶表示装置１３の液晶画面上に表示させる・・・ゲージ画像Ｇ１が液晶表示装置１３の液晶画面上に表示されるタイミングと演出ボタン１７の操作が可能となるタイミングとを一致させる。」（【００９７】）と記載され、また、上記エには「演出制御基板１０２は、遊技者が演出ボタン１７の操作可能時間内に演出ボタン１７の操作を行った場合、・・・液晶表示装置１３の液晶画面上に現在表示されているリーチ演出パターンに代えて２つ目の演出パターンの動画（特別リーチ演出パターン）を表示させる。」（【００８５】）と記載されている。さらに、上記カには、「遊技者が演出ボタン１７を操作し、それが当該演出ボタン操作可能期間（時間）内である場合（例えば、図８の時刻ｔ６の場合）、サブＣＰＵ１０２ａは、・・・演出ボタン画像とゲージ画像の表示を終了させ・・・、特別リーチ演出パターンをそれまで表示していたリーチ演出パターンに代えて時刻ｔ５になるまで液晶表示装置１３の液晶画面上に表示させる」（【０１１０】）と記載され、あわせて【図８】には、リーチ演出で演出ボタン画像表示やゲージ画像表示の表示中に演出ボタンがｔ６で操作された場合、特別リーチ演出が開始されることが見て取れる。したがって引用文献２には「
液晶表示装置１３で、演出ボタン画像Ｂ１とゲージ画像Ｇ１が液晶画面上に表示されるタイミングで演出ボタン１７の操作が可能とされ、遊技者が演出ボタン１７の操作可能時間内に演出ボタン１７の操作を行った場合、特別リーチ演出パターンを表示させるサブＣＰＵ１０２ａ
ス　上記ア〜カの記載事項及び上記キ〜シの認定事項から、引用文献２には次の発明（以下「引用文献２発明」という。）が記載されていると認められる（ａ〜ｇは、本願発明のＡ〜Ｇに対応させて付与した。）。
ａ　第１始動口９及び第２始動口１０への入球を検出すると、大当たりの抽選を行い、その際に、メイン処理として始動入賞口に遊技球が入賞したことを各検出スイッチで検出すると、乱数を取得し、乱数値に基づいて演出パターン制御コマンドを演出制御基板１０２に送信するメインＣＰＵ１０２ａと、（上記キ）
ｂ　長当たり遊技が開始されると、第１大入賞口開閉扉１１ｂを開閉動作させる主制御基板１０１と、（上記ク）
ｃ　演出が表示される液晶表示装置１３と、（上記ケ）
ｄ　液晶表示装置１３で、報知画像（演出ボタン画像）を演出ボタン予告画像として、画面左側から光の束Ｆ１が画面中央下側の演出ボタン画像が表示される位置Ｆ２まで飛翔し、位置Ｆ２で光が蓄積される態様で表示するサブＣＰＵ１０２ａと、（上記コ）
ｅ　液晶表示装置１３で、演出ボタン予告画像の表示を終了させるとともに、位置Ｆ２に報知画像（演出ボタン画像）を、演出ボタン画像Ｂ１とゲージ画像Ｇ１とが明確に描画された態様で表示するサブＣＰＵ１０２ａと、（上記サ）
ｆ　液晶表示装置１３で、演出ボタン画像Ｂ１とゲージ画像Ｇ１が液晶画面上に表示されるタイミングで演出ボタン１７の操作が可能とされ、遊技者が演出ボタン１７の操作可能時間内に演出ボタン１７の操作を行った場合、特別リーチ演出パターンを表示させるサブＣＰＵ１０２ａとを備える遊技機。（上記シ）
２　対比・判断 
　本願発明と引用文献２発明とを対比する。なお、見出しは（ａ）〜（ｇ）とし、本願発明、引用文献２発明の分説に対応させている。
  
（ａ）　引用文献２発明の構成ａの「第１始動口９及び第２始動口１０への入球を検出する」こと、「大当たりの抽選を行」うことは、それぞれ本願発明の構成ａの「所定の始動条件が満たされたこと」、「判定を行う」ことに相当する。また、「始動口」が「始動入賞口」に、「入球」が「入賞」にあたること、および、「大当たりの抽選」を「乱数を取得し」て行うことは遊技機分野での技術常識であるから、「その際に、メイン処理として始動入賞口に遊技球が入賞したことを各検出スイッチで検出すると、乱数を取得し、乱数値に基づいて演出パターン制御コマンドを演出制御基板１０２に送信するメインＣＰＵ１０２ａ」は、上記「始動口」への「入球を検出」し「大当たりの抽選を行」っていることはあきらかである。したがって、引用文献２発明の構成ａの「ＣＰＵ１０２ａ」は、本願発明の構成Ａの「判定手段」に相当する。
（ｂ）　引用文献２発明の構成ｂの「長当たり遊技」で「第１大入賞口開閉扉１１ｂを開閉動作させる」ことは、本願発明の構成Ｂの「遊技者に対して利益を付与する」ことに相当する。また、引用文献２発明の構成ｂで「第１大入賞口開閉扉１１ｂを開閉動作させる」のは、「主制御基板１０１」であるから、引用文献２発明の構成ｂの「主制御基板１０１」は、本願発明の構成Ｂの「利益付与手段」に相当する。そして「長当たり遊技」は、大当たり抽選で当選した場合に行われることは技術常識であるから、「判定手段の判定結果が特別の結果である」場合に行われるものといえる。よって、引用文献２発明の構成ｂの「長当たり遊技が開始されると、第１大入賞口開閉扉１１ｂを開閉動作させる主制御基板１０１」は、本願発明の構成Ｂの「記判定手段の判定結果が特別の結果であることに基づいて遊技者に対して利益を付与する利益付与手段」に相当する。
（ｃ）　引用文献２発明の「液晶表示装置１３」は本願発明の「演出表示手段」に相当する。よって引用文献２発明の構成ｃの「演出が表示される液晶表示装置１３」は本願発明の構成Ｃの「演出表示される演出表示手段」に相当する。
（ｄ）　引用文献２発明の構成ｄの「演出ボタン予告画像」は、「報知画像（演出ボタン画像）」を「画面左側から光の束Ｆ１が画面中央下側の演出ボタン画像が表示される位置Ｆ２まで飛翔し、位置Ｆ２で光が蓄積される態様で表示」させ、また、引用文献２発明の構成ｅでは「報知画像（演出ボタン画像）」を「演出ボタン画像Ｂ１とゲージ画像Ｇ１」として「明確に描画された」態様で表示させていることから、上記「報知画像（演出ボタン画像）」は、本願発明の「特定画像」に相当する。また、引用文献２発明の構成ｄの「画面左側から光の束Ｆ１が画面中央下側の演出ボタン画像が表示される位置Ｆ２まで飛翔し、位置Ｆ２で光が蓄積される態様」は、本願発明の構成Ｄの「特定の態様」に相当する。よって、引用文献２発明の構成ｄで表示を行う「サブＣＰＵ１０２ａ」は、本願発明の構成Ｄの「第１特定画像手段」に相当する。
　したがって、引用文献２発明の構成ｄの「液晶表示装置１３で、演出ボタン予告画像を、画面左側から光の束Ｆ１が画面中央下側の演出ボタン画像が表示される位置Ｆ２まで飛翔し、位置Ｆ２で光が蓄積される態様で表示するサブＣＰＵ１０２ａ」は、本願発明の構成Ｄの「演出表示手段において特定画像を特定の態様で表示する第１特定画像手段」に相当する。
（ｅ）　上記（ｄ）で記載したように、引用文献２発明の「報知画像（演出ボタン画像）」は、本願発明の「特定画像」に相当する。そうすると、引用文献２発明の構成ｅの「演出ボタン画像Ｂ１とゲージ画像Ｇ１」を「位置Ｆ２に報知画像（演出ボタン画像）を、演出ボタン画像Ｂ１とゲージ画像Ｇ１とが明確に描画された態様で表示」させることは、本願発明の構成Ｅにおいて「前記特定の態様とは異なる態様で前記特定画像を表示する」ことに相当する。そして引用文献２発明の構成ｅの「演出ボタン画像Ｂ１とゲージ画像Ｇ１」は、引用文献２発明の構成ｄで「表示」された「演出ボタン予告画像の表示を終了させるとともに」表示される、すなわち、「演出ボタン予告画像」の表示された後に表示されるから、引用文献２発明の構成ｅで「演出ボタン予告画像の表示を終了させるとともに、位置Ｆ２に報知画像（演出ボタン画像）を、演出ボタン画像Ｂ１とゲージ画像Ｇ１とが明確に描画された態様で表示する」ことは、本願発明の構成Ｅにおいて「前記特定画像が特定の態様で表示された後、前記演出表示手段において前記特定の態様とは異なる態様で前記特定画像を表示する」ことに相当する。よって、引用文献２発明の構成ｅで表示を行う「サブＣＰＵ１０２ａ」は、本願発明の構成Ｅの「第２特定画像手段」に相当する。
　したがって、引用文献２発明の構成ｅの「液晶表示装置１３で、演出ボタン予告画像の表示を終了させるとともに、位置Ｆ２に報知画像（演出ボタン画像）を、演出ボタン画像Ｂ１とゲージ画像Ｇ１とが明確に描画された態様で表示するサブＣＰＵ１０２ａ」は、本願発明の構成Ｅの「前記第１摸画像手段により前記摸画像が特定の態様で表示された後、前記演出表示手段において前記特定の態様とは異なる態様で前記摸画像を表示する第２摸画像手段」に相当する。
（ｆ）　上記（ｄ）の記載から、引用文献２発明の構成ｆで「演出ボタン画像Ｂ１とゲージ画像Ｇ１が液晶画面上に表示」されることは、本願発明の構成Ｆの「前記特定の態様とは異なる態様とされた特定画像が表示」されることに相当する。そして、引用文献２発明の構成ｆで「演出ボタン画像Ｂ１とゲージ画像Ｇ１が液晶画面上に表示されるタイミングで演出ボタン１７の操作が可能とされ、遊技者が演出ボタン１７の操作可能時間内に演出ボタン１７の操作を行った場合、特別リーチ演出パターンを表示させる」ということは、「演出ボタン画像Ｂ１とゲージ画像Ｇ１が液晶画面上に表示されるタイミングで演出ボタン１７の操作が可能とされ」てから、少なくともその後「遊技者が演出ボタン１７の操作可能時間内に演出ボタン１７の操作を行」うまで操作を受付けられることは明らかであるから、本願発明の構成Ｆの「前記特定の態様とは異なる態様とされた特定画像が表示された状態で遊技者による特定操作が受付け可能とされ」ることに相当する。また、引用文献２発明の構成ｆの「遊技者が演出ボタン１７の操作可能時間内に演出ボタン１７の操作を行った場合、」に「特別リーチ演出パターンを表示させる」ことは、本願発明の構成Ｆで「該特定操作が受付けられたことに基づいて」「特定演出を出現させる」ことに相当する。よって、引用文献２発明の構成ｆの「サブＣＰＵ１０２ａ」は、本願発明の構成Ｆの「特定演出手段」に相当する。
　したがって、引用文献２発明の構成ｆの「液晶表示装置１３で、演出ボタン画像Ｂ１とゲージ画像Ｇ１が液晶画面上に表示されるタイミングで演出ボタン１７の操作が可能とされ、遊技者が演出ボタン１７の操作可能時間内に演出ボタン１７の操作を行った場合、特別リーチ演出パターンを表示させるサブＣＰＵ１０２ａ」は、本願発明の構成Ｆの「前記演出表示手段において前記特定の態様とは異なる態様とされた特定画像が表示された状態で遊技者による特定操作が受付け可能とされ、該特定操作が受付けられたことに基づいて特定演出を出現させる特定演出手段」に相当する。
（ｇ）上記（ｄ）で「第１特定画像手段」に相当する「サブＣＰＵ１０２ａ」によって「画面左側から光の束Ｆ１が画面中央下側の演出ボタン画像が表示される位置Ｆ２まで飛翔し、位置Ｆ２で光が蓄積される態様」で表示される「報知画像（演出ボタン画像）」は、「演出ボタン画像が表示される位置Ｆ２」とは異なる領域を少なくとも含めた領域で移動表示される部分を有することはあきらかである。
　したがって、引用文献２発明の構成ｄで「演出ボタン予告画像を、画面左側から光の束Ｆ１が画面中央下側の演出ボタン画像が表示される位置Ｆ２まで飛翔し、位置Ｆ２で光が蓄積される態様で表示する」ことと、引用文献２発明の構成ｅの「明確に描画された演出ボタン画像Ｂ１とゲージ画像Ｇ１とを位置Ｆ２に表示する」ことは、本願発明の構成Ｇの「前記第１特定画像手段によって前記特定の態様で表示される前記特定画像は、前記第２特定画像手段によって前記特定画像が表示される領域とは異なる領域を少なくとも含めた領域で移動表示される」ことに相当する。
　そうすると、上記（ａ）〜（ｇ）より、本願発明と引用文献２発明とは
「Ａ　所定の始動条件が満たされたことに基づいて判定を行う判定手段と、
Ｂ　前記判定手段の判定結果が特別の結果であることに基づいて遊技者に対して利益を付与する利益付与手段と、
Ｃ　演出表示される演出表示手段と、
Ｄ　前記演出表示手段において特定画像を特定の態様で表示する第１特定画像手段と、
Ｅ　前記第１特定画像手段により前記特定画像が特定の態様で表示された後、前記演出表示手段において前記特定の態様とは異なる態様で前記特定画像を表示する第２特定画像手段と、
Ｆ　前記演出表示手段において前記特定の態様とは異なる態様とされた特定画像が表示された状態で遊技者による特定操作が受付け可能とされ、該特定操作が受付けられたことに基づいて特定演出を出現させる特定演出手段と
　を備え、
Ｇ　前記第１特定画像手段によって前記特定の態様で表示される前記特定画像は、前記第２特定画像手段によって前記特定画像が表示される領域とは異なる領域を少なくとも含めた領域で移動表示されるものである
　ことを特徴とする遊技機。」
である点で一致し、相違点はなく、同一である。
　したがって、本願発明は、引用文献２に記載された発明であるといえる。また、仮に相違点があったとしても、本願発明は、引用文献２発明と周知技術から容易に発明することができたものである。
３　むすび 
　以上のとおりであるから、本願発明は、特許法第２９条第１項第３号または同法第２９条第２項の規定により特許を受けることができない。
　したがって、本願の他の請求項について検討するまでもなく、本願は拒絶すべきものである。
　よって、結論のとおり審決する。